(57)【要約】【課題】重量部材を立て起こし、取付位置に移動させることができる立て起こし装置を提供すること。【解決手段】横並びに配置された一対の架台台車１と、一対の架台台車１のそれぞれの一端部および他端部にそれぞれ立設され、動力によって伸縮するブーム２と、一方の架台台車１に立設された一対のブーム２と他方の架台台車１に立設された一対のブーム２とをそれぞれ接続する一対のビーム３と、一対のビーム３に架設され、架台台車１から突出したレール４と、レール４にガイドされ、レール上を移動可能な一対のトロリ付きチェーンブロック５とを備えるようにした。【選択図】        図５
2010126320.tif 000002
【特許請求の範囲】
【請求項１】
横並びに配置された一対の架台台車と、
一対の架台台車のそれぞれの一端部および他端部にそれぞれ立設され、動力によって伸縮するブームと、
一方の架台台車に立設された一対のブームと他方の架台台車に立設された一対のブームとをそれぞれ接続する一対のビームと、
一対のビームに架設され、架台台車から突出したレールと、
該レールにガイドされ、レール上を移動可能な一対のチェーンブロックと
を備えたことを特徴とする立て起こし装置。
【請求項２】
建屋内でブームを伸張した場合に躯体と当接する部位に躯体を養生する柔材を配設したことを特徴とする請求項１に記載の立て起こし装置。
【請求項３】
重量部材を吊り上げる吊り上げ工程と、
架台台車に立設され、動力によって伸縮するブームを伸張させることにより、ブームを躯体に突っ張らせる突っ張り工程と、
重量部材を立て起こす立て起こし工程と、
立て起こした重量部材を取付位置に移動させる移動工程と
を含んだことを特徴とする重量部材の立て起こし方法。
【発明の詳細な説明】
【技術分野】
【０００１】
本発明は、工事中の建屋内において使用され、ＰＣ壁、鋼製耐震壁などの重量部材を立て起こし、移動させる立て起こし装置、および工事中の建屋内において重量部材を立て起こし、移動させる重量部材の立て起こし方法に関するものである。
【背景技術】
【０００２】
図６および図７は、フロアークレーンを用いたＰＣ壁の立て起こし作業を説明する図である。図６および図７に示すように、工事中の建屋内において使用され、ＰＣ壁、鋼製耐震壁などの重量部材を立て起こし、重量部材を取付位置に移動させるフロアークレーン１００が知られている。フロアークレーン１００は、自走式の走行台車１０１と、斜め側方に張り出し、走行台車１０１を支持するアウトリガー１０２と、旋回可能、かつ起伏可能に設けられた伸縮ブーム１０３と、伸縮ブーム１０３の先端から繰り出されたワイヤ１０４を巻き上げる巻上装置（図示せず）とを備えている（たとえば、非特許文献１参照）。一方、立て起こされるＰＣ壁Ｈは、平床台車Ｄに搭載されて搬送される。ＰＣ壁Ｈの一端側と他端側とには、吊り治具Ｚが取り付けてあり、建屋を構成する躯体にＰＣ壁Ｈを取り付けた後に、ＰＣ壁Ｈから取り外すようになっている。そして、上述したフロアークレーン１００を用いてＰＣ壁Ｈを立て起こす場合には、図６に示すように、一端側に取り付けた吊り治具Ｚを用いてＰＣ壁Ｈを吊り上げることになる。このように、立て起こされたＰＣ壁Ｈは、フロアークレーン１００によって取付位置に搬送され、他端に取り付けた吊り治具Ｚを介錯することによって、取付姿勢が調整される。
【０００３】
図８および図９は、油圧リフターを用いたＰＣ壁の立て起こし作業を説明する図である。図８および図９に示すように、工事中の建屋内において使用され、ＰＣ壁、構成耐震壁などの重量部材を立て起こし、重量部材を取付位置に移動させる油圧リフター２００が知られている。油圧リフター２００は、左右一対の台車２０１と、これら台車２０１の中央に起立するように設けられた伸縮可能なブーム２０２と、ブーム２０２を相互に接続するビーム２０３と、ビーム２０３の中央に設けられたチェーンブロック２０４とを備えている。一方、立て起こされるＰＣ壁Ｈは、平床台車Ｄに搭載されて搬送される。ＰＣ壁Ｈの一端側と他端側とには、吊り治具Ｚが取り付けてあり、建屋を構成する躯体にＰＣ壁Ｈを取り付けた後に、取り外すようになっている。そして、上述した油圧リフター２００を用いてＰＣ壁Ｈを立て起こす場合には、図８に示すように、取付位置の近傍まで搬送した後、一端側に取り付けた吊り治具Ｚを用いてＰＣ壁Ｈを吊り上げることになる。このように立て起こされたＰＣ壁Ｈは、他端に取り付けた吊り治具Ｚを介錯することによって、取付姿勢が調整される。
【０００４】
【非特許文献１】株式会社前田製作所、“外壁ユニット施工用フロアークレーン”、［online］、［平成２０年１１月５日検索］、インターネット＜URL：http://www.maesei.co.jp/new07/pdf/mc-283cf.pdf＞
【発明の開示】
【発明が解決しようとする課題】
【０００５】
しかしながら、フロアークレーン１００を用いてＰＣ壁Ｈを立て起こす場合には、ＰＣ壁Ｈの重量が５００ｋｇ〜２ｔと重いため、フロアークレーン１００の容量も大きなものが必要となる。また、ＰＣ壁Ｈとフロアークレーン１００の自重による反力が大きなものとなり、スラブ耐力を超えてしまうこともある。さらに、上述したフロアークレーン１００は、アウトリガー１０２を斜め側方に張り出して走行台車を支持するため、図７に示すように、躯体柱近傍にＰＣ壁を搬送できない（フロアークレーンが転倒する）場合がある。
【０００６】
また、油圧リフター２００を用いてＰＣ壁Ｈを立て起こしても、図９に示すように、台車２０１が躯体柱や取り付けたＰＣ壁Ｈに干渉するので、ＰＣ壁Ｈを取付位置に移動させることができない（作業員による介錯によって移動させると、油圧リフターが転倒する場合がある）。
【０００７】
本発明は、上記に鑑みてなされたものであって、ＰＣ壁、鋼製耐震壁などの重量部材を立て起こし、重量部材を取付位置に移動させることができる立て起こし装置および重量部材の立て起こし方法を提供することを目的とする。
【課題を解決するための手段】
【０００８】
上述した課題を解決し、目的を達成するために、本発明は、横並びに配置された一対の架台台車と、一対の架台台車のそれぞれの一端部および他端部にそれぞれ立設され、動力によって伸縮するブームと、一方の架台台車に立設された一対のブームと他方の架台台車に立設された一対のブームとをそれぞれ接続する一対のビームと、一対のビームに架設され、架台台車から突出したレールと、該レールにガイドされ、レール上を移動可能な一対のチェーンブロックとを備えたことを特徴とする。
【０００９】
また、本発明は、上記発明において、建屋内でブームを伸張した場合に躯体と当接する部位に躯体を養生する柔材を配設したことを特徴とする。
【００１０】
本発明は、重量部材を吊り上げる吊り上げ工程と、架台台車に立設され、動力によって伸縮するブームを伸張させることにより、ブームを躯体に突っ張らせる突っ張り工程と、重量部材を立て起こす立て起こし工程と、立て起こした重量部材を取付位置に移動させる移動工程とを含んだことを特徴とする。
【発明の効果】
【００１１】
本発明にかかる立て起こし装置は、ブームを伸張させることにより、ブームを躯体に突っ張らせた後、立て起こした重量部材を取付位置に移動させれば、取付位置が躯体柱近傍であっても重量部材を移動させることができる。
【００１２】
本発明にかかる重量部材の立て起こし方法は、ブームを伸張させることにより、ブームを躯体に突っ張らせたのち、立て起こした重量部材を取付位置に移動させるので、立て起こし装置が転倒することがない。
【発明を実施するための最良の形態】
【００１３】
以下に、本発明にかかる立て起こし装置の実施の形態を図面に基づいて詳細に説明する。なお、この実施の形態によりこの発明が限定されるものではない。
【００１４】
図１および図２は、本発明の実施の形態である立て起こし装置を説明する図である。本実施の形態である立て起こし装置は、工事中の建屋内において使用され、ＰＣ壁、構成耐震壁などの重量部材を立て起こし、移動させるものであって、ここでは、立て起こす重量部材として、ＰＣ壁Ｈを例に説明する。
【００１５】
立て起こすＰＣ壁Ｈは、上述したＰＣ壁Ｈと同様に、平床台車Ｄに搭載されて搬送される。また、上述したＰＣ壁Ｈと同様に、ＰＣ壁Ｈの一端側と他端側とには、吊り治具Ｚが取り付けてあり、建屋を構成する躯体にＰＣ壁Ｈを取り付けた後に、ＰＣ壁Ｈから取り外すようになっている。
【００１６】
立て起こし装置は、横並びに配置された一対の架台台車１を備えている。架台台車１は、ＰＣ壁Ｈを取付作業位置まで移動させるためのものであって、一端部下面と他端部下面とに回転自在な車輪１１を備えており、無軌道走行が可能となっている。なお、架台台車１は、人力によって移動させられるものであってもよいし（図３参照）、動力によって移動させられるものであってもよい。
【００１７】
一対の架台台車１のそれぞれの一端部および他端部（車輪の直上）には、ブーム２がそれぞれ立設されている。ブーム２は、油圧や電力などの動力によって伸縮するテレスコープ型のものであって、本実施の形態である立て起こし装置は、三段階に伸縮する三段式のブーム２が採用されている。また、これら四本のブーム２は同期して伸縮するようになっており、四本のブーム２が略同一の速度で伸張し、略同一の速度で収縮するようになっている。なお、ブーム２は、施工階の階高によって任意の段数のものを採用可能であって、三段式のものに限られるものではない。
【００１８】
立て起こし装置は、一方の架台台車１に立設された一対のブーム２と他方の架台台車１に立設された一対のブーム２とを接続する一対のビーム３を備えており、架台台車１は、自立するようになっている。
【００１９】
一対のビーム３の下面には、レール４が架設されている。レール４は、側方に延出するフランジを有し、トロリ付きのチェーンブロック５（二つ）が移動可能にガイドされるようになっている。また、レール４の両端は、架台台車１の前方および後方から突出しており、チェーンブロック５が架台台車１からはみ出せるようになっている。
【００２０】
また、一対のビーム３のそれぞれ一端部と他端部とには、柔材６が配設してある。柔材６は、躯体を傷つけないように養生するとともに、ビーム３が滑らないようにするためのもので、たとえば、ゴムのような弾性体により構成されている。
【００２１】
図３〜図５は、本発明の実施の形態である立て起こし装置を用いた立て起こし作業を説明する図であって、図３は搬送工程を説明する図、図４は揚重工程を説明する図、図５は立て起こし工程を説明する図である。
【００２２】
上述した立て起こし装置およびＰＣ壁Ｈが搭載された平床台車Ｄは、建屋内に設置された仮設エレベータＥ（図２参照）により施工階まで揚重される。そして、ＰＣ壁Ｈが搭載された平床台車Ｄが整列された荷取り位置において、ＰＣ壁Ｈの一端側に取り付けられた吊り治具Ｚと、他端側に取り付けられた吊り治具Ｚとがトロリ付きのチェーンブロック５に玉掛けされ、チェーンブロック５によってＰＣ壁Ｈを吊り上げる（吊り上げ工程）（図３参照）。ＰＣ壁Ｈを吊り上げると、図３に示すように、人力によってもしくは動力を用いて立て起こし装置を取付作業位置まで移動させることにより、ＰＣ壁Ｈが取付作業位置まで搬送される。
【００２３】
つぎに、動力によってブーム２を伸張させることにより、図４に示すように、ブーム２を上階躯体に突っ張らせる（突っ張り工程）。このとき、柔材６が上階躯体に当接するので、上階躯体が傷つくこともなければ、ビーム３が滑ることもない。また、図４に示すように、ブーム２の伸張に伴ってＰＣ壁Ｈが揚重される。
【００２４】
つぎに、トロリ付きチェーンブロック５のチェーンの長さを調整しながらＰＣ壁Ｈを立て起こし（立て起こし工程）、トロリ付きチェーンブロック５をレール４の端部まで移動させることにより、ＰＣ壁Ｈを取付位置まで移動させる（移動工程）。そして、取付位置まで移動させられたＰＣ壁Ｈは、躯体梁に取り付けられる。
【００２５】
躯体梁にＰＣ壁Ｈが取り付けられると、ＰＣ壁Ｈの一端側と他端側とに取り付けられた吊り治具Ｚからフックを取り外し、トロリ付きチェーンブロック５を所定の位置まで戻す。
【００２６】
そして、ブーム２を収縮させることにより、上階躯体から切り離し（縁切り）、立て起こし装置を走行可能にする。その後、立て起こし装置を荷取り位置まで移動させる。
【００２７】
以上の工程を繰り返すことにより、施工階におけるＰＣ壁Ｈの立て起こし作業が完了すると、仮設エレベータ（図２参照）を用いることにより、立て起こし装置を次の施工階に揚重するとともに、取り付けるＰＣ壁Ｈを当該次の施工階に揚重する。
【００２８】
上述した実施の形態である立て起こし装置は、ブーム２を上階躯体に突っ張らせた後、ＰＣ壁Ｈを立て起こし、その後、ＰＣ壁Ｈを取り付け位置に移動させるので、立て起こし装置が転倒することがない。
【００２９】
ブーム２を上階躯体に突っ張らせることにより反力をとるので、フロアークレーン１００などで必要なカウンタウェイトが不要となり、立て起こし装置を軽量なものとすることができる。したがって、躯体を補強する必要がない。
【００３０】
レール４が架台台車１よりも突出しているので、架台台車１から離れた取付位置にＰＣ壁Ｈを移動させることもできる。また、架台台車１と取付位置とが離れているので、架台台車１が取付作業の邪魔になることもない。
【図面の簡単な説明】
【００３１】
【図１】本発明の実施の形態である立て起こし装置を説明する図である。
【図２】本発明の実施の形態である立て起こし装置を説明する図である。
【図３】本発明の実施の形態である立て起こし装置を用いたＰＣ壁の搬送工程を説明する図である。
【図４】本発明の実施の形態である立て起こし装置を用いたＰＣ壁の揚重工程を説明する図である。
【図５】本発明の実施の形態である立て起こし装置を用いたＰＣ壁の立て起こし工程を説明する図である。
【図６】フロアークレーンを用いたＰＣ壁の立て起こし作業を説明する図である。
【図７】フロアークレーンを用いたＰＣ壁の立て起こし作業を説明する図である。
【図８】油圧リフターを用いたＰＣ壁の立て起こし作業を説明する図である。
【図９】油圧リフターを用いたＰＣ壁の立て起こし作業を説明する図である。
【符号の説明】
【００３２】
１    架台台車
１１    車輪
２    ブーム
３    ビーム
４    レール
５    トロリ付きチェーンブロック
６    柔材
Ｄ    平床台車
Ｈ    ＰＣ壁
Ｚ    吊り治具
【図１】
2010126320.tif 000003
【図２】
2010126320.tif 000004
【図３】
2010126320.tif 000005
【図４】
2010126320.tif 000006
【図５】
2010126320.tif 000007
【図６】
2010126320.tif 000008
【図７】
2010126320.tif 000009
【図８】
2010126320.tif 000010
【図９】
2010126320.tif 000011